(57)【要約】【課題】  本発明は回路基板にしっかりと固着し、回路基板から離脱を防止でき、良好な信号伝送を確保できる電気コネクタを提供する。【解決手段】  本発明の電気コネクタは、絶縁本体と、複数の導電端子と、絶縁本体を囲むハウジングと、を備える。前記絶縁本体は、前記導電端子が収容される複数の端子溝を含む。前記ハウジングは、回路基板に固着される第１半田部と第２半田部とを持つ固定部を有する。前記第１半田部と第２半田部とは異なる方法で半田で回路基板に固定される。【選択図】図１
2005123163.tif 000002
【特許請求の範囲】
【請求項１】
電気コネクタにおいて、
複数の端子溝を含む絶縁本体と、
前記絶縁本体の対応する端子溝に収容される複数の導電端子と、
前記絶縁本体を囲み、異なる方法で回路基板に固着される第１半田部と第２半田部とを有する固定部を含むハウジングと、
を備えることを特徴とする電気コネクタ。
【請求項２】
前記ハウジングは第１ハウジングと第２ハウジングとを備え、該第１ハウジングには係合片が設けられ、該第２ハウジングには前記係合片と係合可能である孔が設けられることを特徴とする請求項１に記載の電気コネクタ。
【請求項３】
前記第１半田部は前記ハウジングから前記回路基板と平行に延設され、前記第２半田部は前記第１半田部の末端から該第１半田部と垂直に延設されることを特徴とする請求項１に記載の電気コネクタ。
【請求項４】
前記第１半田部はＳＭＴによって、前記第２半田部はＴＨＴによって、前記回路基板に固着されることを特徴とする請求項１〜請求項３のいずれかに記載の電気コネクタ。
【請求項５】
前記絶縁本体は、基部と、該基部から前へ延設される突出部とを含み、前記端子溝は、収容槽と、該収容槽から後ろへ伸びて、前記基部を貫通する貫通溝と、該貫通溝に連続し、かつ、該貫通溝の両側壁に設けられる一対のスロットと、を備えることを特徴とする請求項１に記載の電気コネクタ。
【請求項６】
前記導電端子は、保持部と、該保持部の末端から回路基板とお互いに平行に伸び、且つ該保持部と垂直に折り曲げられる曲がり部とを備え、それぞれの曲がり部の長さは異なり、更に、最後の曲がり部の曲がり方向と他の曲がり部の曲がり方向は背離になることを特徴とする請求項１に記載の電気コネクタ。
【請求項７】
前記導電端子は末端を含み、前記絶縁本体には該末端を隔てて定位させる凹槽が設けられることを特徴とする請求項１に記載の電気コネクタ。
【請求項８】
前記電気コネクタには、前記絶縁本体の後壁に結合し、前記導電端子の末端を固定する遮蔽板が配置されることを特徴とする請求項７に記載の電気コネクタ。
【請求項９】
前記第１ハウジングの底面には一つの開口が設けられ、絶縁本体の第２凸塊には該開口の一端の両側辺が収容される凹みが設けられることを特徴とする請求項１に記載の電気コネクタ。
【発明の詳細な説明】
【技術分野】
【０００１】
本発明は電気コネクタに関し、特に、回路基板に固着し、且つ回路基板を電気的に接続するための電気コネクタに関するものである。
【背景技術】
【０００２】
電子工業における電気コネクタは、回路基板に固着することにより、通常、ＵＳＢ（Ｕｎｉｖｅｒｓａｌ  Ｓｅｒｉａｌ  Ｂｕｓ）によって、信号伝送を実現する経路を形成する。回路基板には複数の貫通穴が開設されており、従来の電気コネクタは、絶縁本体を包囲するハウジングに設けられた固定部がＴＨＴ（Ｔｈｒｏｕｇｈ  Ｈｏｌｅ  Ｔｅｃｈｎｏｌｏｇｙ）によって対応する前記貫通穴に挿入された後で回路基板に半田付けされることにより、回路基板に固着する。特許文献１にも、該この種の回路基板に半田付けされる電気コネクタが掲載されている。ところが、前記固定部は、電気コネクタをＴＨＴによって回路基板に半田付けすることができるように、非常に固くする必要がある。そうしないと、固定部は、取り付けあるいは取り外しの後で、変形するか、あるいは前記回路基板から離脱するおそれがあって、良好な信号伝送を保持しにくい。
【０００３】
従って、前記の欠点を克服するために新たな電気コネクタを設計することが必要である。
【特許文献１】中国特許第２４５２１５４Ｙ号明細書
【発明の開示】
【発明が解決しようとする課題】
【０００４】
本発明は、電気コネクタ、特に、改善された固定部を備え、回路基板にしっかりと固着し、該回路基板から離脱を防止でき、最適な信号伝送を確保することができる電気コネクタを提供する。
【課題を解決するための手段】
【０００５】
本発明の電気コネクタは、改善された固定部を備え、回路基板にしっかりと固着し、最適な信号伝送を確保することができる。前記電気コネクタは、絶縁本体と、複数の導電端子と、絶縁本体を囲むハウジングとを備える。前記絶縁本体に、前記導電端子が収容される複数の端子溝を開設する。前記ハウジングは、回路基板に固着される第１半田部と第２半田部とを持つ固定部を有する。前記第１半田部と第２半田部とは異なる方法で回路基板に半田付けされる。
【発明の効果】
【０００６】
従来の技術に比べると、本発明は以下の長所がある。前記電気コネクタのハウジングには第１半田部と第２半田部とを持つ固定部が設けられる。電気コネクタは、第１半田部と第２半田部とが異なる方法で回路基板に半田付けされることにより、回路基板に固着する。そのため、回路基板にしっかりと固着することができる電気コネクタを提供することになる。
【発明を実施するための最良の形態】
【０００７】
図１〜図６を参照すると、本発明の改善された固定部を含む、回路基板にしっかりと固着できる電気コネクタは、絶縁本体１と、絶縁本体１を囲むハウジング２と、絶縁本体１の後壁１３に結合する遮蔽板３と、複数の導電端子４とを備える。前記絶縁本体１は、縦長形の基部１１と、この基部１１の前表面から突出するパネル状の突出部１２と、基部１１の底壁１１０から延設された一対の第２凸塊１３０と、その一対の第２凸塊１３０と底壁１１０との間に位置する一対の凹み１４０とを備える。また、該突出部１２の一つの側壁の一端から後ろへ伸び、基部１１を貫通する複数の端子溝１４は、縦方向に伸びて配列される。一つの端子溝１４は、突出部１２における収容槽１４２と、該収容槽１４２から後ろに伸び、基部１１を貫通する貫通溝１４３と、該貫通溝１４３に連続し、かつ、該貫通溝１４３の両側壁に設けられる一対のスロット１４１とを有する。前記基部の後壁１３において対向する一対の側面から後ろに伸びるものはフランジ１７である。基部１１の後壁１３の下部には、一体になる複数の第１凸塊１５が設置される。それらの第１凸塊１５の間に位置するものは、導電端子４の末端４５が収容され、末端４５をお互いに隔てる複数の凹槽１６である。
【０００８】
図１、図５及び図６を参照すると、前記導電端子４は、折り曲がった挿入部４１と、該挿入部４１から後ろに伸びた連接部４２と、該連接部４２の末端に設けられてスロット１４１に収容された保持部４３と、回路基板５とお互いに平行に伸び、保持部４３の末端から垂直に折り曲がった曲がり部４４と、回路基板５とお互いに直交する末端４５とを備える。前記複数の導電端子４の挿入部４１は縦長方向に、末端４５は横方向に順番に配列される。導電端子４は、回路基板５に末端４５を半田付けすることができるように、それぞれの末端４５を隔てる必要がある。本実施例に示されたそれぞれの曲がり部４４の長さは異なり、最後の曲がり部４４の曲がり方向と他の曲がり部４４の曲がり方向とは背離になる。他の実施例では、複数の曲がり部の曲がり方向と他の曲がり部の曲がり方向とを背離にすることもできる。そして、それらの末端４５が、対応する凹槽１６に嵌め込まれて、お互いに隔てられることにより、末端４５の定位を確保し易しく、隣接する末端４５がお互いに接触して短絡することを防止でき、良好な信号伝送を確保する。
【０００９】
電気コネクタには遮蔽板３が配置される。該遮蔽板３は、フランジ１７に挿入され、前記第１凸塊１５に当接することにより、絶縁本体１の後壁１３にしっかりと結合する。そして、導電端子４の末端４５が固定されるとともに、ハウジング２と導電端子４とがお互いに隔てられる。
【００１０】
図１及び図４を参照すると、第１ハウジング２１と第２ハウジングとを含むハウジング２は絶縁本体１を囲むように設置される。該第１ハウジング２１は、ほぼ矩形になり、四つの側面がお互いに連続し、前面と後面とに開口が開設される。対向した一対の前記側面から後ろに延設されるものは実装部２１１である。該実装部２１１の末端には二対の係合片２１２が突設される。前記第１ハウジング２１の底面には一つの台形の開口が横方向に沿って配列される。該開口の一端の両側辺が前記絶縁本体１の第２凸塊１３０の凹み１４０に嵌め込まれ、他の一端に一つの第１固定部２１３が設けられる。該第１固定部２１３は、底面から回路基板に向かって延設された延伸部２１６と、該延伸部２１６とお互いに直交する第１半田部２１４と、該第１半田部２１４とお互いに直交する第２半田部２１５とを備える。前記第１ハウジング２１に装着される第２ハウジング２２は、後壁２２５と一対の側壁２２４とを有し、コ字形になる。該後壁２２５には前記方形の係合片２１２を通過させる方形孔２２２が開設される。該一対の側壁２２４の下部には第２固定部２３が設けられる。該第２固定部２３は、対応する側壁２２４から回路基板５に向かって伸びる延伸部２２６と、該延伸部２２６とお互いに直交する第１半田部２２１と、該第１半田部２２４とお互いに直交するとともに対応する側壁２２４と平行に延設される第２半田部２２３とを備える。
【００１１】
図２及び図４を参照すると、電気コネクタを取り付ける時、導電端子４を絶縁本体１に装着するために、導電端子４の挿入部４１が、貫通孔１４３を通過して突出部１２の収容槽１４２に収容されるとともに、導電端子４の保持部４３が、端子溝１４のスロット１４１に固定される。この状態で、導電端子４の曲がり部４４が、基部１１の後壁１３に寄りかかって、縦長方向で配列される。短絡を防止できるように、導電端子４の末端４５が、下向きに延設されて凹槽１６に嵌め込まれる。絶縁本体１の後面１３に置く遮蔽板３は、絶縁本体１のフランジ１７に挿入され、第１凸塊１５に当接することにより、ハウジング２と端子４との間に定位し、そして、ハウジング２と端子４とをお互いに隔てて、短絡を防止する。遮蔽板３と端子４とを具備する絶縁本体１は、ハウジング２の第１ハウジング２１の実装部２１１から第１ハウジング２１に組み合わせられる。そして、ハウジング２の第２ハウジング２２は、第１ハウジング２１と結合した絶縁本体１を覆う。第１ハウジング２１の係合片２１２が第２ハウジング２２の方形孔２２２に挿入されて内側に折り曲げられることにより、第２ハウジング２２を固定する。図４に示される電気コネクタが成形する。
【００１２】
図６を参照すると、電気コネクタを回路基板５に取り付ける時に、導電端子４が、末端４５によって、回路基板５に半田付けされる。ところで、前記第１ハウジング２１は、第１固定部２１３の第１半田部２１４がＳＭＴ（Ｓｕｒｆａｃｅ  Ｍｏｕｎｔ  Ｔｅｃｈｎｏｌｏｇｙ）によって回路基板５に半田付けされることで、回路基板５に固定される。その後で、該第１ハウジング２１は、第１固定部２１３の第２半田部２１５がＴＨＴ（Ｔｈｒｏｕｇｈ  Ｈｏｌｅ  Ｔｅｃｈｎｏｌｏｇｙ）によって回路基板５に半田付けされることで、回路基板５に固定される。同時に、第２ハウジング２２は、第２固定部２３の第１半田部２２１がＳＭＴによって回路基板５に半田付けされ、第２半田部２１５がＴＨＴによって回路基板５に半田付けされることで、回路基板５に固定される。
【００１３】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【産業上の利用可能性】
【００１４】
本発明は電気コネクタに関し、特に、改善された固定部を備え、回路基板に固着し、且つ回路基板を電気的に接続した電気コネクタに関するものである。
【図面の簡単な説明】
【００１５】
【図１】本発明の電気コネクタの分解斜視図である。
【図２】本発明の電気コネクタの部品の分解斜視図である。
【図３】本発明の電気コネクタの絶縁本体と端子の立体組合図である。
【図４】本発明の電気コネクタの立体組合図である。
【図５】図４のＶ−Ｖの方向に沿った断面図である。
【図６】本発明の電気コネクタと回路基板との組合平面図である。
【符号の説明】
【００１６】
１  絶縁本体
２  ハウジング
３  遮蔽板
４  導電端子
５  回路基板
１１  基部
１２  突出部
１３  後壁
１４  端子溝
１５  第１凸塊
１６  凹槽
１７  フランジ
２１  第１ハウジング
２２  第２ハウジング
２３  第２固定部
４１  挿入部
４２  連接部
４３  保持部
４４  曲がり部
４５  末端
１１０  底壁
１３０  第２凸塊
１４０  凹み
１４１  スロット
１４２  収容槽
１４３  貫通溝
２１１  実装部
２１２  係合片
２１３  第１固定部
２１４、２２１  第１半田部
２１５、２２３  第２半田部
２１６、２２６  延伸部
２２２  方形孔
２２４  側壁
２２５  後壁
【図１】
2005123163.tif 000003
【図２】
2005123163.tif 000004
【図３】
2005123163.tif 000005
【図４】
2005123163.tif 000006
【図５】
2005123163.tif 000007
【図６】
2005123163.tif 000008